【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】
ディスクコントローラと、上記ディスクコントローラに接続されたディスクアレイとからなり、上記ディスクアレイが、それぞれ複数のディスクドライブを搭載した複数のドライブ基板と、上記複数のドライブ基板が着脱可能に接続される共通基板とからなり、上記ディスクコントローラが、上記複数のドライブ基板の一部を第１のドライブ基板群、残りを第２のドライブ基板群とし、第１のドライブ基板群において互いに異なるドライブ基板上に搭載された複数のディスクドライブを論理グループとして管理するようにしたディスクアレイ装置であって、
上記ディスクコントローラが、
上第１のドライブ基板群に属する何れかのディスクドライブが障害ドライブとなった時、上記障害ドライブが搭載された障害基板上の各ディスクドライブの格納データと同一のデータを上記第２のドライブ基板群の中から選択された交替基板上のディスクドライブに蓄積した後、上記障害基板上の各ディスクドライブが所属する論理グループを上記交替基板上のディスクドライブを含む新たな論理グループに再編成するための手段と、
上記論理グループの再編成後に、保守端末に対して上記障害基板が交換可能状態となったこと通知するための手段とを備えたことを特徴とするディスクアレイ装置。
【請求項２】
前記論理グループを再編成するための手段が、前記障害ドライブに代わる前記交替基板上の１つの交替ディスクドライブに対して、上記障害ドライブと同一論理グループに所属した他の複数のディスクドライブからの読み出しデータに基づいて再生されたデータを書き込むための手段と、前記障害基板上に搭載された正常ディスクドライブからの読み出しデータを前記交替基板上の別の交替ディスクドライブに順次に複写するための手段とを含むことを特徴とする請求項１に記載のディスクアレイ装置。
【請求項３】
前記共通基板が、前記各ドライブ基板の基板内配線をディスクチャネル用の配線と接続するための複数のコネクタと、上記ディスクチャネル用の配線から上記ドライブ基板接続用の各コネクタを選択的にバイパスするための複数のバイパス回路を備え、
前記ディスクコントローラが、前記論理グループの再編成後に、前記障害基板の接続コネクタと対応するバイパス回路をバイパス状態に切替えるための手段を備えたことを特徴とする請求項１または請求項２に記載のディスクアレイ装置。
【請求項４】
前記共通基板が、前記各ドライブ基板の基板内配線をディスクチャネル用の配線と接続するための複数のコネクタを有し、
前記ディスクコントローラが、前記障害基板の接続コネクタに復旧基板が再接続された時、該復旧基板を前記第２のドライブ基板群に属するドライブ基板として管理することを特徴とする請求項１または請求項２に記載のディスクアレイ装置。
【請求項５】
前記ディスクコントローラが、前記ディスクアレイを構成するドライブ基板を正常状態、交換待ち状態、予備状態の順に遷移する状態コードによって管理するための基板管理テーブルを備え、状態コードが正常状態の基板を前記第１のドライブ基板群、予備状態の基板を前記第２のドライブ基板群とすることを特徴とする請求項１または請求項２に記載のディスクアレイ装置。
【請求項６】
前記共通基板上で前記ドライブ基板接続用のコネクタがＸ、Ｙ軸上の座標値で特定される２次元配置を有し、各ドライブ基板上の複数のディスクドライブがＺ軸方向に配列され、
前記ディスクコントローラが、互いに同一のＸ座標値、Ｚ座標値を有し、Ｙ座標値が異なるＮ＋１個のディスクドライブによって前記論理グループを形成し、
前記論理グループを再編成するための手段が、前記第２のドライブ基板群の中から前記障害基板と同一のＹ座標値をもつドライブ基板を前記交替基板として選択し、上記障害基板上の複数のディスクドライブと上記交替基板上の交替ディスクドライブとをそれぞれのＺ座標値に従って対応付けることを特徴とする請求項１または請求項２に記載のディスクアレイ装置。
【請求項７】
ディスクコントローラと、上記ディスクコントローラに接続されたディスクアレイとからなり、上記ディスクアレイが、それぞれ複数のディスクドライブを搭載した複数のドライブ基板と、上記複数のドライブ基板が着脱可能に接続される共通基板とからなり、上記ディスクコントローラが、上記複数のドライブ基板の一部を第１のドライブ基板群、残りを第２のドライブ基板群とし、第１のドライブ基板群において互いに異なるドライブ基板上に搭載された複数のディスクドライブを論理グループとして管理するようにしたディスクアレイ装置における上記ディスクコントローラによる障害回復制御方法であって、
上記第１のドライブ基板群に属する何れかのディスクドライブが障害ドライブとなった時、上記第２のドライブ基板群の中から、上記障害ドライブが搭載された障害基板に代わる交替基板を選択するステップと、
上記障害ドライブが搭載された障害基板上の各ディスクドライブの格納データと同一のデータを上記交替基板上のディスクドライブに蓄積するステップと、
上記障害基板上の各ディスクドライブが所属する論理グループを上記交替基板上のディスクドライブを含む新たな論理グループに再編成するステップと、
上記論理グループの再編成後に、保守端末に対して上記障害基板が交換可能状態となったこと通知するステップとを含むことを特徴とする障害回復制御方法。
【請求項８】
前記交替基板上のディスクドライブへのデータ蓄積ステップが、
前記障害ドライブに代わる前記交替基板上の１つの交替ディスクドライブに対して、上記障害ドライブと同一論理グループに所属した他の複数のディスクドライブからの読み出しデータに基づいて再生されたデータを書き込むステップと、
前記障害基板上に搭載された正常ディスクドライブからの読み出しデータを前記交替基板上の別の交替ディスクドライブに複写するステップとからなることを特徴とする請求項７に記載の障害回復制御方法。
【請求項９】
前記共通基板が、前記各ドライブ基板の基板内配線をディスクチャネル用の配線と接続するための複数のコネクタと、上記ディスクチャネル用の配線から前記ドライブ基板接続用の各コネクタを選択的にバイパスするための複数のバイパス回路を備え、
前記ディスクコントローラが、前記論理グループの再編成後に、前記障害基板の接続コネクタと対応するバイパス回路をバイパス状態に切替えるステップを含むことを特徴とする請求項７または請求項８に記載の障害回復制御方法。
【請求項１０】
前記ディスクコントローラが、前記第１のドライブ基板群を現用系、前記第２のドライブ基板群を予備系として、前記ディスクアレイのデータの書き込みと読み出しを行い、
前記論理グループを再編成する手段が、前記データ蓄積を終えた交替基板を前記現用系に加え、前記障害基板を前記現用系から除外することを特徴とする請求項１〜請求項６の何れかに記載のディスクアレイ装置。
【請求項１１】
前記ディスクコントローラが、前記第１のドライブ基板群を現用系、前記第２のドライブ基板群を予備系として、前記ディスクアレイのデータの書き込みと読み出しを行い、障害ドライブが発生した時、前記論理グループの再編成によって、前記データ蓄積を終えた交替基板を前記現用系に加え、前記障害基板を前記現用系から除外することを特徴とする請求項７〜請求項９の何れかに記載の障害回復制御方法。
【手続補正２】
【補正対象書類名】図面
【補正対象項目名】図１７
【補正方法】変更
【補正の内容】
【図１７】
2004272527.tif 000001